(57)【要約】      （修正有）【課題】建物外面や屋外に用いるについての耐久耐候性や強度及び錆の発生がなく軽くて加工性がよい金属材料を用いてデザイン性と機能のある差込嵌合一体成形金属型材を作り容易に組み立て製作でき、かつ取り付け現場においても簡易に組み立て差し替えが出来る金属スクリーンを安価に提供する事にある。【解決手段】本発明は軽くて強度のある金属材料で上辺部に円形部２を設けその円形部を包むように差込嵌合出来る開放形円空部３を有する金属型材や上下辺部円形と上下辺部円形部を包むように差込嵌合出来る開放形円空部３を有する金属型材をつくり各々組み合わせて立体的デザイン変化と直射日光侵入を防ぎながら透過性のある金属スクリーンにする事が出来るシステム金属型材を作る。【選択図】      図３
2004156411.tif 000002
【特許請求の範囲】
【請求項１】
上辺部に円形部があり下辺部にその上辺円形部を差込み嵌合出来る開放円空部を有し開放円空部に近接して水平方向に庇部の形状と水平に対する垂直方向面部分にデザインされた開口又は無開口の一体形金属型材からなり同一型材や同機構を有する他の形状金属型材とでも複数組み合わせて金属スクリーンを構成する為のシステム金属型材。
【請求項２】
垂直面状の上辺部と下辺部に同一円形部を有する金属型材と上辺部と下辺部に垂直面状の円形部を差込み嵌合出来る同一開放円空部を有し水平方向庇部を持つ金属型材からなり各々交互に差込み嵌合ができ上記金属型材とも差込み嵌合が出来る形状を有するシステム金属型材。
【発明の詳細な説明】
【０００１】
【発明の属する技術分野】
本発明は、建物外面や建物内部及び屋外に面状設置利用するとき容易に製作でき簡易に取り付けられる金属スクリーンに関するシステム金属型材。
【０００２】
【従来の技術】
従来の金属スクリーンを建物外面や屋外に用いるには錆が発生しない金属線同士を編み上げたり溶接して面状にする方法と大型金属板を大型工作機械で穴あけ開口した上で耐風圧強度上折り曲げたり補強骨組みを設けて加工製作しなければならずどちらの方法も手間暇が掛かり何れも高価になる。
【０００３】
【発明が解決しようとする課題】
本発明の課題は、建物外面や屋外に用いるについての条件、耐久耐候性や強度及び錆の発生がなく軽くて加工性がよい金属材料を用いてデザイン性と機能のある差込嵌合一体成形金属型材を作り容易に組み立て製作でき、かつ取り付ける場所においても簡易に組み立て差し替えが出来る金属スクリーンを安価に提供する事にある。
【０００４】
【課題を解決するための手段】
かかる課題を解決するため本発明は軽い金属材料で強度のある押し出し一体型材方式や極薄金属板を用いて機械自動折り曲げ加工し上辺部に円形部を設けその円形部を包むように差込嵌合出来る開放形円空部を有する金属型材の同一型材で面状金属スクリーンにする方法と上下辺部円形と上下辺部円形部を包むように差込嵌合出来る開放形円空部を有する金属型部材をつくり各々交互に差込嵌合し面状にすることも出来るし各金属型材の円形部及び円形部を包む開放形円空部を同一寸法にして組み合わせ面状金属スクリーンにすることも容易に出来るシステム金属型材を作る。
【０００５】
上記各金属型材の上下辺部の間、垂直部分は打ち抜いたり切り取ったりして開口部を設け建物側と外部側との透過性を図り、かつ水平方向に庇部を一体形状で設ける。その庇部は立体的デザインと開口部から建物室内側への直射日光侵入を防ぐと共に雨水を出来るだけ建物側へ呼び込まないようにする為の機能でもある。また、開放円空部は差込嵌合する円形部との離脱を防ぎ設定強度を保持する開放円空部とし、かつ巻いて運搬をする事もできる。
【０００６】
上記各金属型材は所定の寸法で寸断差込し嵌合部に端部蓋を止めれば面状金属スクリーン製品となる極めて容易な製作方法となる。
【０００７】
【発明の実施の形態】
本発明の実施形態に基づいて説明する。図１は一体成形金属型材の組み合わせ斜図である。また、図２は垂直形及び水平形二つの金属型材で構成する斜図である。図３は同一嵌合部を有する金属型材の複合組み合わせ斜図であり図４及び図５は上下金属型材水平庇間の中間部における開口の取り方を表す図である。図６は外部用金属スクリーン２６を建物に取り付ける方法の設置固定図であり図７及び図８は金属スクリーンを側支柱や背面支柱に止める斜図である。図９（Ａ）は室内用金属スクリーンを吊り下げる方法であり（Ｂ）は振れ止めウエイトを付けた図である。図１０は室内用金属スクリーン２７の使い方を示し、（Ａ）は防吸音タイプ（Ｂ）は二重タイプ（Ｃ）は二重スクリーンの間に樹脂浸透和紙を入れた図であり図１１（Ａ）〜（Ｆ）は室内用金属スクリーン型材１ｄのシステムデザインバリエーション図である。
【０００８】
図１は上辺円形部２と下辺部に２を包むように差込嵌合出来る開放円空部３を有し、かつ２と３のあいだ垂直部５ａに開口５ｂと水平庇部４が一体と成っている金属型材１ａで１ａ同士を必要な数だけ差込嵌合する図である。尚、２と３の寸法は関連している方が一つの型材で組み立て製作が出来、安価になるがいくつかの型材を作り金属スクリーン２６の表情変化を求めるのであれば２と３は寸法を変えても出来るし４及び５ｂも寸法、形状は限定するものではない。また、５ｂは必ずしも設けなくても良い。
【０００９】
図２は垂直形金属型材１ｃと水平形金属型材１ｂの二型材にしたときの差込嵌合の仕方で１ｃの上下辺部に円形部２をそして１ｂの上下面に開放円空部３を両方設け１ｃと１ｂを交互に差込嵌合し製作して行く。この方法の特徴は１ｃの使い方が二通りあり一つは１ｃの幅を小さく切断し図４のように１ｂ間を繋ぎ材として使う事が出来る。また、もう一つは、例えば１ｂと１ｃの２及び３の寸法を差込嵌合出来る様に合わせておけば図３のように変化のある複合構成製作が容易に出来る。また、１ｃは平板状なので機械穴あけ開口５が設けやすい。尚、１ａと同じ様に１ｂ１ｃの寸法、形状は限定するものではない。
【００１０】
図４と図５は１ａ及び１ｂの水平庇部４の中間垂直部５ａ及び１ｃの開口５デザインパターンを図示しているが、これに限定するものではない。図６は外部用１ａを差込嵌合製作し実際に建物に取り付ける詳細である。先ず、建物側の取り付ける上部と下部にＬ型金物１１をボルトナット１０で所定の位置に取り付ける。次にあらかじめ金属型材１ａを差込嵌合して製作してある金属スクリーン２７に吊り下げ用ボルトナット９及び振れ止めワイヤー緊張金物８を取り付け１１のＬ型金物に上下とも取り付け、振れ止め金属ワイヤー７を緊張し完成する。この工法は図７及び図８のように支柱１３を立てそれに金属スクリーン２６を取り付けるのが一般的工法であるが、支柱１３だけ場所を取りコストが高くなり室内側から見た景観も支柱１３が邪魔をする。尚、振れ止め金属ワイヤー７は必ずしも設けなくては成らないものではないし図７及び図８のような工法で行っても良い。
【００１１】
図９は室内用金属スクリーン２７の取り付け方を示したものであり、図９の室内用金属型材１ｄは室内用にデザインしたものであるがこの形態には限らないでよい。また、１ｃは外部用の垂直形金属型材１ｃを使ってもよく新たに作っても良い。外部用も内部用も考え方は同じである。金属スクリーン吊り用型材１７は金属スクリーンスライド用金物１８に取り付けやすい形状とするが１ｃに１８を直接付ける事も出来る。尚、金属スクリーン２７は建物室内天井部分に取り付け重量強度があれば直接取り付け吊るす事が出来るが固定式である。図９の（Ａ）の様な金属スクリーン吊り用レール１９があれば金属スクリーン２７を容易にスライド移動が出来るし（Ｂ）にある振れ止め用ウエイト金物２０があればより垂直に張れる。
【００１２】
図１０は室内用金属スクリーン２７を二重に使う例であるが（Ａ）は金属スクリーンの間に吸音材２２を入れた例であり１ｃに開口５ｂがあれば吸音側になるし１ｃに５ｂを設けなければ遮音側になる。（Ｂ）は１ｃの５ｂデザインを各々別にすれば新たな金属スクリーン２７として見えるし（Ｃ）のように樹脂浸透和紙２３を入れれば金属スクリーンが柔らかい感じになるし反対側の視線も防げる。図１１の（Ａ）〜（Ｆ）は室内用金属型材１ｄのデザイン例でありこれに限ることではない。
【００１３】
【発明の効果】
以上、説明したように本発明の金属スクリーンを構成する金属型材１ａは一型でも充分成り立ち二つの水平形金属型材１ｂと垂直形金属型材１ｃとを組み合わせる事によってさらに金属スクリーンのデザイン変化が求められ、かつ製作寸法の大小が差し込むだけで容易に構成できコストも安価になり広く使われ易くなる。
【図面の簡単な説明】
【図１】本発明に係る外部用金属スクリーン金属型材組み合わせ斜図
【図２】本発明に係る外部用金属スクリーン垂直水平形金属型材組み合わせ斜図
【図３】本発明に係る外部用金属スクリーン金属型材複合組み合わせ斜図
【図４】本発明に係る外部用金属スクリーン中間開口方法図
【図５】本発明に係る外部用金属スクリーン中間開口バリエーション図
【図６】本発明に係る外部用金属スクリーン設置固定図
【図７】本発明に係る外部用金属スクリーン側支柱止め斜図
【図８】本発明に係る外部用金属スクリーン支柱背面止め斜図
【図９】本発明に係る室内用金属スクリーン吊り下げ（Ａ）振れ止めウエイト付（Ｂ）
【図１０】本発明に係る室内用金属スクリーン防吸音タイプ（Ａ）二重タイプ（Ｂ）中間樹脂浸透和紙入タイプ（Ｃ）
【図１１】本発明に係る室内用金属スクリーン型材バリエーション図
【符号の説明】
１ａ    金属型材
１ｂ    垂直形金属型材
１ｃ    水平形金属型材
１ｄ    室内用金属型材
２      円形部
３      開放円空部
４      水平庇部
５ａ    中間垂直部
５ｂ    中間開口
６      端部蓋
７      振れ止め金属ワイヤー
８      金属ワイヤー緊張金物
９      金属スクリーン固定用ボルトナット
１０    建物部固定用ボルトナット
１１    Ｌ型金物
１２    建物部
１３    支柱金物
１４    金属スクリーン止ビス
１５    金属スクリーン水平部先端繋ぎ金物
１６    端部蓋止め金物
１７    金属スクリーン吊り用型材
１８    金属スクリーンスライド用金物
１９    金属スクリーン吊り用レール
２０    振れ止め用ウエイト金物
２１    金属スクリーン同士固定金物
２２    吸音材
２３    樹脂浸透和紙
２４    天井材
２５    床
２６    外部用金属スクリーン
２７    室内用金属スクリーン
【図１】
2004156411.tif 000003
【図２】
2004156411.tif 000004
【図３】
2004156411.tif 000005
【図４】
2004156411.tif 000006
【図５】
2004156411.tif 000007
【図６】
2004156411.tif 000008
【図７】
2004156411.tif 000009
【図８】
2004156411.tif 000010
【図９】
2004156411.tif 000011
【図１０】
2004156411.tif 000012
【図１１】
2004156411.tif 000013